(57)【特許請求の範囲】
【請求項１】
水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、
前記複数の野縁受けに載置した形で前記他方向に沿って延設されるとともに前記複数の野縁受けに接続して配設される水平材と、
前記水平材に一端を、前記上部構造に他端をそれぞれ直接的あるいは間接的に接続して配設された補強ブレースとを備えるとともに、
前記水平材と前記天井材とを接続する耐震補強用部材を備えて構成されていることを特徴とする吊り天井構造。
【請求項２】
水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、
前記複数の野縁受けに載置した形で前記他方向に沿って延設されるとともに前記複数の野縁受けに接続して配設される水平材と、
前記水平材に一端を、前記上部構造に他端をそれぞれ直接的あるいは間接的に接続して配設された補強ブレースとを備えるとともに、
前記水平材と、前記天井材又は前記野縁とを接続する耐震補強用部材を備えて構成され、
前記耐震補強用部材が、上下方向の力に対して弾塑性変形する反力吸収部を備えて形成されていることを特徴とする吊り天井構造。
【請求項３】
水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、
前記野縁受けに一端を、前記上部構造に他端をそれぞれ直接的あるいは間接的に接続して配設された補強ブレースを備えるとともに、
前記野縁受けと前記天井材を接続する耐震補強用部材を備えて構成され、
前記耐震補強用部材が、上下方向の力に対して弾塑性変形する反力吸収部を備えて形成されていることを特徴とする吊り天井構造。
【発明の詳細な説明】
【技術分野】
【０００１】
本発明は、吊り天井の構造に関する。
【背景技術】
【０００２】
従来、例えばオフィスビル等の建物の天井部の構造として、吊り天井が多用されている。そして、吊り天井（吊り天井構造）Ａは、例えば図７及び図８に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材（上部構造）等に固着して配設される複数の吊りボルト（吊り部材）３と、野縁１の下面にビス留めなどによって一体に取り付けられ、下階の天井面を形成する天井パネル（天井材）４とを備えて構成されている（特許文献１、特許文献２、特許文献３参照）。
【０００３】
また、図９に示すように、野縁１と野縁受け２は、断面コ字状の溝形鋼であり、野縁１においては、開口部６を形成する両側壁部１ａ、１ｂの先端を幅方向（Ｔ１）内側にそれぞれ突出させてなる一対の係合受部７を備えて形成されている。また、このように形成された野縁１と野縁受け２は、図８及び図９に示すように、クリップ（野縁接続用金具）１０を用い、互いに交差する交差部１１で接続される。クリップ１０は、例えば、図９に示すように、下端側に幅方向両外側に突出する係合片１０ａを備え、上端側に上方に突出する折り曲げ係止片１０ｂを備えて形成されている。そして、野縁１の内部に開口部６から下端側の係合片１０ａを挿入するとともに野縁１の係合受部７に係合させ、開口部９を横方向（Ｔ２）に向けて野縁１上に配設された野縁受け２の上端側を巻き込むように折り曲げ係止片１０ｂを折り曲げて係止させる。これにより、クリップ１０を介して野縁１と野縁受け２を接続することができる。
【０００４】
さらに、図７、図８及び図１０に示すように、吊りボルト３と野縁受け２は、ハンガ（吊り部材接続用金具）１２を用いて接続される。ハンガ１２は、例えば、図１０に示すように、上端側に横方向（Ｔ２）に延びて設けられるとともに、吊り部材挿通孔１３が貫設された吊り部材接続部１２ａと、吊り部材接続部１２ａの一端から下方に折れ曲がって延設された垂下部１２ｂと、垂下部１２ｂの下端から横方向（Ｔ２）に折れ曲がって延設された底部１２ｃと、底部１２ｃから上方に折れ曲がって延設されたクランプ保持部１２ｄとを備えて、略Ｊ字状に形成されている。そして、このハンガ１２を用いて吊りボルト３と野縁受け２を接続する際には、吊り部材接続部１２ａの吊り部材挿通孔１３に吊りボルト３を挿通してナット８を締結することにより、吊り部材接続部１２ａに吊りボルト３を接続する。また、ハンガ１２の垂下部１２ｂとクランプ保持部１２ｄの間に野縁受け２を挿入して底部１２ｃで受けるとともに、クランプ保持部１２ｄと垂下部１２ｂで挟み込んで保持させることにより、ハンガ１２に野縁受け２が接続される。これにより、ハンガ１２を介して吊りボルト３と野縁受け２を接続することができる。
【０００５】
ここで、このように野縁１及び野縁受け２の天井下地と天井パネル４を吊りボルト３で吊り下げ支持してなる吊り天井Ａは、その構造上、地震時に作用する水平力（慣性力）によって横揺れしやすい。このため、地震時の横揺れによって、天井パネル４の端部が壁や柱、梁などに衝突し、天井パネル４に破損が生じたり、脱落が生じるおそれがあった。
【０００６】
このため、一般に、この種の吊り天井Ａは、図８や図１１に示すように、地震時に吊り天井Ａの揺れを抑えるための補強ブレース１４を設置して構成するようにしている。また、補強ブレース１４は、複数の野縁受け２に接続して架設した水平材１５（図８参照）、あるいは野縁受け２（図１１参照）に下端（一端）１４ａを固着し、吊りボルト３の上端側あるいは床材に上端（他端）１４ｂを固着して、野縁１や野縁受け２に沿って例えばＶ字状に配設される。
【０００７】
そして、図８に示すように、水平材１５に接続して補強ブレース１４を設置してなる吊り天井Ａにおいては、地震時に吊り天井Ａに作用する水平力（慣性力）が、野縁１からクリップ１０を通じて野縁受け２に、野縁受け２からハンガ１２あるいはハンガ１２と水平材１５を接続する受け金具１６から水平材１５に、水平材１５から補強ブレース１４を通じて上部構造に伝達される。このように、水平材１５に接続して設けた補強ブレース１４によって吊り天井Ａに作用する水平力を上部構造に伝達させることで、吊り天井Ａの揺れを抑えることができる。
【０００８】
一方、図１１に示すように、野縁受け２に接続して補強ブレース１４を設置してなる吊り天井Ａにおいては、地震時に吊り天井Ａに作用する水平力が、野縁１からクリップ１０を通じて野縁受け２に、野縁受け２から補強ブレース１４を通じて上部構造に伝達される。このように、野縁受け２に接続して設けた補強ブレース１４によって吊り天井Ａに作用する水平力を上部構造に伝達させることで、吊り天井Ａの揺れを抑えることができる。
【先行技術文献】
【特許文献】
【０００９】
【特許文献１】特開２００７−１００３５８号公報
【特許文献２】特開２００６−２２４８３号公報
【特許文献３】特開２００７−２３９４４１号公報
【発明の概要】
【発明が解決しようとする課題】
【００１０】
しかしながら、水平材１５に接続して補強ブレース１４を設置してなる従来の吊り天井Ａにおいては、補強ブレース１４から水平材１５が反力を受けることに伴い、図１２（ａ）に示すように、不可避な偏心が生じて水平材１５が凹凸変形したり、図１２（ｂ）に示すように、野縁１と野縁受け２の交差部１１を基点として回転・転倒の変形が生じたり、図１２（ｃ）に示すように、野縁受け２に変形が生じるなどして、補強ブレース１４の効果が低減したり、補強ブレース１４がある程度効果を発揮しても吊り天井Ａの変形ひいては横揺れが大きくなってしまうという問題があった。
【００１１】
また、野縁受け２に接続して補強ブレース１４を設置してなる従来の吊り天井Ａにおいても、図１３（ａ）に示すように、クリップ１０に回転・転倒の変形が生じたり、図１３（ｂ）に示すように、野縁１がクリップ１０に押されて変形するなどして、やはり、補強ブレース１４の効果が低減したり、補強ブレース１４がある程度効果を発揮しても吊り天井Ａの変形ひいては横揺れが大きくなってしまうという問題があった。
【００１２】
本発明は、上記事情に鑑み、地震時に、確実に補強ブレースの効果を発揮させて耐震性能を向上させることを可能にした吊り天井構造を提供することを目的とする。
【課題を解決するための手段】
【００１３】
上記の目的を達するために、この発明は以下の手段を提供している。
【００１４】
本発明の吊り天井構造は、水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、前記複数の野縁受けに載置した形で前記他方向に沿って延設されるとともに前記複数の野縁受けに接続して配設される水平材と、前記水平材に一端を、前記上部構造に他端をそれぞれ直接的あるいは間接的に接続して配設された補強ブレースとを備えるとともに、前記水平材と前記天井材とを接続する耐震補強用部材を備えて構成されていることを特徴とする。
また、本発明の吊り天井構造は、水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、前記複数の野縁受けに載置した形で前記他方向に沿って延設されるとともに前記複数の野縁受けに接続して配設される水平材と、前記水平材に一端を、前記上部構造に他端をそれぞれ直接的あるいは間接的に接続して配設された補強ブレースとを備えるとともに、前記水平材と、前記天井材又は前記野縁とを接続する耐震補強用部材を備えて構成され、前記耐震補強用部材が、上下方向の力に対して弾塑性変形する反力吸収部を備えて形成されていることを特徴とする。
また、本発明の吊り天井構造は、水平の一方向に所定の間隔をあけて並設された複数の野縁と、前記野縁の下面に取り付けられた天井材と、前記野縁に交差させ、水平の他方向に所定の間隔をあけて並設された複数の野縁受けと、前記野縁と前記野縁受けを交差部で接続する野縁接続用金具と、上端側を上部構造に接続し、下端側を前記野縁受けに接続して配設された複数の吊り部材と、前記吊り部材の下端側と前記野縁受けを接続する吊り部材接続用金具とを備える吊り天井構造において、前記野縁受けに一端を、前記上部構造に他端をそれぞれ直接的あるいは間接的に接続して配設された補強ブレースを備えるとともに、前記野縁受けと前記天井材を接続する耐震補強用部材を備えて構成され、前記耐震補強用部材が、上下方向の力に対して弾塑性変形する反力吸収部を備えて形成されていることを特徴とする。
【００１５】
本発明においては、水平材と天井材を接続する耐震補強用部材を備えて構成されていることにより、地震時に、補強ブレースの反力を水平材から耐震補強用部材を介して天井材に伝達させることができ、吊り天井構造の剛性を高めることが可能になる。
【００１６】
これにより、水平材が凹凸変形したり、野縁と野縁受けの接点を基点として回転・転倒の変形が生じたり、野縁受けに変形が生じることなどがなく、補強ブレースの効果によって確実に吊り天井構造の変形を小さく抑えることが可能になる。
【００１８】
また、本発明においては、野縁受けと天井材を接続する耐震補強用部材を備えて構成されていることにより、地震時に、補強ブレースの反力を野縁受けから耐震補強用部材を介して天井材に伝達させることができ、吊り天井構造の剛性を高めることが可能になる。また、地震時に吊り天井構造に発生する慣性力の大半を直接野縁受けに伝達させることができ、野縁接続用金具（クリップ）や野縁の延設方向の変形を大幅に低減することが可能になる。
【００１９】
これにより、野縁接続用金具に回転・転倒の変形が生じたり、野縁が野縁接続用金具に押されて変形することなどがなく、補強ブレースの効果によって確実に吊り天井構造の変形を小さく抑えることが可能になる。
【００２１】
さらに、本発明においては、吊り天井構造の剛性を高め、補強ブレースの効果によって吊り天井構造の変形を小さく抑えるための耐震補強用部材に過大な外力が作用するとともに、耐震補強用部材の反力吸収部が弾塑性変形し、この外力を吸収することができる。これにより、耐震補強用部材を通じて、過大な外力（補強ブレースからの反力）が天井材や野縁に伝達されることを防止でき、天井材や野縁など、吊り天井構造に破損が生じることを防止できる。
【発明の効果】
【００２２】
本発明の吊り天井構造においては、水平材と天井材、あるいは水平材と野縁、あるいは野縁受けと天井材を接続する耐震補強用部材を備えることで、従来と比較し、吊り天井に大きな揺れが発生することを防止でき、天井材の大きな破損や脱落などが生じることを防止（抑止）でき、耐震性能を向上させることが可能になる。
【００２３】
また、既設の吊り天井構造に対し、耐震補強用部材を設置することによって、既設の吊り天井構造の耐震性能を向上させることも可能になり、既設の吊り天井構造を比較的容易に耐震改修することが可能になる。
【図面の簡単な説明】
【００２４】
【図１】本発明の第１実施形態に係る吊り天井構造を示す天井裏側からの斜視図である。
【図２】本発明の第２実施形態に係る吊り天井構造を示す天井裏側からの斜視図である。
【図３】本発明の第２実施形態に係る吊り天井構造の耐震補強用部材を示す斜視図である。
【図４】本発明の第３実施形態に係る吊り天井構造を示す斜視図である。
【図５】本発明の第３実施形態に係る吊り天井構造の耐震補強用部材の変更例を示す斜視図である。
【図６】本発明の第１及び第３実施形態に係る吊り天井構造の耐震補強用部材の変更例を示す斜視図である。
【図７】吊り天井構造を示す室内側からの斜視図である。
【図８】従来の吊り天井構造を示す天井裏側からの斜視図である。
【図９】クリップ（野縁接続用金具）を示す斜視図である。
【図１０】ハンガ（吊り部材接続用金具）を示す斜視図である。
【図１１】従来の吊り天井構造を示す天井裏側からの斜視図である。
【図１２】図８に示した従来の吊り天井構造の地震時の変形状態の例を示す図である。
【図１３】図１１に示した従来の吊り天井構造の地震時の変形状態の例を示す図である。
【発明を実施するための形態】
【００２５】
以下、図１、及び図７から図１０、図１２を参照し、本発明の第１実施形態に係る吊り天井構造について説明する。ここで、本実施形態は、例えばオフィスビルなどの建物の天井部として用いられる吊り天井の構造に関し、特に優れた耐震性能を備えた吊り天井の構造に関するものである。
【００２６】
本実施形態の吊り天井（吊り天井構造）Ｂは、図１及び図７に示すように、野縁１と天井材４と野縁受け２と吊り部材（吊りボルト）３と補強ブレース１４と野縁接続用金具（クリップ）１０と吊り部材接続用金具（ハンガ）１２と耐震補強用部材２０とを備えて構成されている。
【００２７】
野縁１は、図１及び図９に示すように、溝形鋼であり、一対の側壁部１ａ、１ｂと両側壁部１ａ、１ｂに連設された底板部１ｃとを備えて断面コ字状（断面Ｃ字状）に形成されている。また、野縁１は、開口部６を形成する各側壁部１ａ、１ｂの先端が幅方向（Ｔ１）内側に突出して形成され、この先端の突出部分が係合受部７とされている。そして、野縁１は、水平に延設され、開口部６を上方に向け、且つ水平の一方向Ｔ１に所定の間隔をあけて平行に複数配設されている。
【００２８】
本実施形態の天井材（天井パネル）４は、２枚のボードを貼り付けて一体に積層形成したものであり、例えば１ｍ２あたり２０ｋｇ程度の重量で形成されている。そして、この天井材４は、複数の野縁１の下面にビス留めなどして設置され、天井面を形成している。なお、天井材４は、１枚のボードで構成されていてもよい。
【００２９】
野縁受け２は、溝形鋼であり、上板部２ａと、下板部２ｂと、これら上板部２ａと下板部２ｂに連設された側壁部２ｃとを備えて断面コ字状（断面Ｃ字状）に形成されている。そして、野縁受け２は、水平に延設され、開口部９を横方向（Ｔ２）に向け、且つ水平の他方向Ｔ２に所定の間隔をあけて平行に複数配設されている。また、このとき、野縁受け２は、野縁１と交差するように配設されるとともに、複数の野縁１上に載置した状態で配置される。また、各野縁受け２は、野縁１と交差する交差部１１で、野縁接続用金具１０を使用することにより野縁１に接続されている。
【００３０】
吊り部材３は、図１及び図１０に示すように、円柱棒状に形成されるとともに外周面に雄ネジの螺刻を有する吊りボルトであり、一端を上階の床材等の上部構造に固着、または鋼製の根太等に緊結して垂下され、その下端側を、吊り部材接続用金具１２を用いて野縁受け２に接続して複数配設されている。これにより、野縁１と天井材４と野縁受け２が吊り部材３によって吊り下げ支持されている。また、本実施形態では、複数の吊り部材３は、所定の間隔をあけて分散配置されている。
【００３１】
本実施形態の補強ブレース１４は、図１に示すように、水平材１５を介して一端１４ａを野縁受け２に固着し、他端１４ｂを上部構造に直接的あるいは間接的に固着して設けられている。このとき、水平材１５は、野縁受け２に直交する水平の他方向Ｔ２に延設され、複数の野縁受け２に載置した形で配置されている。また、水平材１５は、受け金具１６を用い、野縁付け２との交点部分で吊り部材接続用金具１２ひいては野縁受け２に固定して設けられている。そして、本実施形態では、一対の補強ブレース１４が、水平材１５と野縁受け２の交点部分（水平材１５と吊り部材接続用金具１２の接続部）を間にして水平材１５の延設方向に沿う他方向Ｔ２に並設され、且つ前記一方向Ｔ１の正面視で、Ｖ字状を呈するように並設されている。なお、本実施形態では、一対の補強ブレース１４がＶ字状を呈するように並設されているものとしているが、これに限定する必要はなく、ハの字、ノの字などの配置、これらの組み合わせなどとして補強ブレース１４を設けるようにしてもよい。
【００３２】
次に、本実施形態の吊り天井Ｂにおいては、水平材１５と天井材４が耐震補強用部材２０を用いて接続されている。本実施形態の耐震補強用部材２０は、Ｔ字状に形成され、逆Ｔ字状となるように配して天井材４の裏面（天井裏面）に載置し、下端側を天井材４に、上端側を水平材１５にそれぞれ、ビス留めするなどして固設されている。また、本実施形態では、複数の耐震補強用部材２０が所定の間隔をあけて設けられ、これら複数の耐震補強用部材２０によって水平材１５と天井材４が接続されている。
【００３３】
なお、本実施形態において、耐震補強用部材２０は、例えばＬ字状などであってもよく、水平材１５と天井材４を接続することが可能であれば、特にその形状を限定する必要はない。
【００３４】
そして、上記のように耐震補強用部材２０を備えてなる本実施形態の吊り天井Ｂにおいては、地震時に、補強ブレース１４の反力が水平材１５に伝達し、この水平材１５の反力が耐震補強用部材２０を介して天井材４に伝達する。このように水平材１５に補強ブレース１４から作用する反力が耐震補強用部材２０を通じて天井材４に伝達されることで、吊り天井Ｂの剛性が高まり、地震時に、野縁１の延設方向（他方向Ｔ２）の変形ひいては横揺れが大幅に低減することになる。
【００３５】
したがって、本実施形態の吊り天井Ｂにおいては、水平材１５と天井材４を接続する耐震補強用部材２０を備えて構成されていることにより、地震時に、補強ブレース１４の反力を水平材１５から耐震補強用部材２０を介して天井材４に伝達させることができ、吊り天井Ｂの剛性を高めることが可能になる。
【００３６】
これにより、図１２（ａ）〜（ｃ）に示したように水平材１５が凹凸変形したり、野縁１と野縁受け２の交差部１１を基点として回転・転倒の変形が生じたり、野縁受け２に変形が生じることなどがなく、補強ブレース１４の効果によって確実に吊り天井Ｂの変形、横揺れを小さく抑えることが可能になる。
【００３７】
よって、本実施形態の吊り天井Ｂによれば、水平材１５と天井材４を接続する耐震補強用部材２０を備えることで、従来と比較し、吊り天井Ｂに大きな揺れが発生することを防止でき、天井材４の大きな破損や脱落などが生じることを防止（抑止）でき、耐震性能を向上させることが可能になる。
【００３８】
また、既設の吊り天井に対し、水平材１５と天井材４を接続するように耐震補強用部材２０を設置することによって、この既設の吊り天井の耐震性能を向上させることも可能になる。すなわち、既設の吊り天井を比較的容易に耐震改修することが可能になる。
【００３９】
次に、図２、図３、及び図７から図１０、図１２を参照し、本発明の第２実施形態に係る吊り天井構造について説明する。
【００４０】
はじめに、本実施形態の吊り天井（吊り天井構造）Ｃは、第１実施形態と同様、図２及び図７に示すように、野縁１と天井材４と野縁受け２と吊り部材（吊りボルト）３と補強ブレース１４と野縁接続用金具（クリップ）１０と吊り部材接続用金具（ハンガ）１２と耐震補強用部材２１とを備えて構成されている。また、補強ブレース１４は、水平材１５を介して一端１４ａを野縁受け２に、他端１４ｂを上部構造にそれぞれ固着して設けられている。
【００４１】
一方、本実施形態の吊り天井Ｃにおいては、図２に示すように、吊り部材接続用金具１２が野縁１と野縁受け２の交差部１１付近（交差部１１上）に配置され、吊り部材３が交差部１１付近で野縁受け２に接続されている。また、このとき、水平材１５は、第１実施形態と同様に、野縁受け２に直交する水平の他方向Ｔ２に延設され、複数の野縁受け２に載置した形で配置されている。そして、受け金具１６を用い、交差部１１付近で吊り部材接続用金具１２ひいては野縁受け２に固設されている。これにより、本実施形態では、水平材１５が野縁１の直上あるいは野縁１の直上付近に配設されている。
【００４２】
また、本実施形態の吊り天井Ｃにおいては、耐震補強用部材２１を用いて水平材１５と野縁１を接続している。そして、本実施形態の耐震補強用部材２１は、図３（ａ）に示すように、水平材１５にビス留めするなどして固着する上側平板部２２と、野縁１にビス留めするなどして固着する下側平板部２３と、上側平板部２２と下側平板部２３との間に設けられ、上側平板部２２や下側平板部２３の一方の板面から凹んで他方の板面側の外側に突出する反力吸収部２４とを備えて形成されている。また、本実施形態では、反力吸収部２４が円弧状に形成されている。
【００４３】
図２及び図３（ａ）に示すように、この耐震補強用部材２１は、上側平板部２２と下側平板部２３をそれぞれ水平材１５や野縁１に固着した状態で、反力吸収部２４が水平材１５と野縁１の上下方向Ｔ３の間に配されるように形成されている。なお、この反力吸収部２４は、必ずしも円弧状に形成されていなくてもよく、図３（ｂ）に示すように三角状に形成するなどしてもよい。
【００４４】
そして、上記のように耐震補強用部材２１を備えてなる本実施形態の吊り天井Ｃにおいては、地震時に、補強ブレース１４の反力が水平材１５に伝達し、この水平材１５の反力が耐震補強用部材２１を介して野縁１に伝達する。このように水平材１５に補強ブレース１４から作用する反力が耐震補強用部材２１を通じて野縁１に伝達されることで、吊り天井Ｃの剛性が高まり、地震時に、野縁１の延設方向（他方向Ｔ２）の変形、横揺れが大幅に低減することになる。
【００４５】
これにより、第１実施形態と同様に、図１２（ａ）〜（ｃ）に示したように水平材１５が凹凸変形したり、野縁１と野縁受け２の交差部１１を基点として回転・転倒の変形が生じたり、野縁受け２に変形が生じることがなく、補強ブレース１４によって確実に吊り天井Ｃの変形、横揺れを小さく抑える効果が発揮されることになる。
【００４６】
一方、本実施形態のように水平材１５と野縁１を耐震補強用部材２１で接続した場合には、補強ブレース１４から作用する鉛直方向（上下方向Ｔ３）の力が耐震補強用部材２１によって直接野縁１に作用し、野縁１が変形して天井材４に損傷が生じるおそれがある。
【００４７】
これに対し、本実施形態では、耐震補強用部材２１が、水平材１５と野縁１にそれぞれ固着する上側平板部２２と下側平板部２３の間に反力吸収部２４を備えて形成されている。このため、本実施形態の吊り天井Ｃにおいては、補強ブレース１４から過大な鉛直方向の力（外力）が作用した場合に、耐震補強用部材２１の反力吸収部２４が弾塑性変形してこの力を吸収する。
【００４８】
これにより、野縁１を変形させるような過大な力が耐震補強用部材２１を通じて天井材４に作用することがなく、天井材４（吊り天井Ｃ）に損傷が生じることが防止される。
【００４９】
したがって、本実施形態の吊り天井Ｃにおいては、水平材１５と野縁１を接続する耐震補強用部材２１を備えて構成されていることにより、地震時に、補強ブレース１４の反力を水平材１５から耐震補強用部材２１を介して野縁１及び天井材４に伝達させることができ、吊り天井Ｃの剛性を高めることが可能になる。
【００５０】
これにより、図１２（ａ）〜（ｃ）に示したように水平材１５が凹凸変形したり、野縁１と野縁受け２の交差部１１を基点として回転・転倒の変形が生じたり、野縁受け２に変形が生じることがなく、補強ブレース１４の効果によって確実に吊り天井Ｃの変形、横揺れを小さく抑えることが可能になる。
【００５１】
よって、本実施形態の吊り天井Ｃによれば、水平材１５と野縁１を接続する耐震補強用部材２１を備えることで、従来と比較し、吊り天井Ｃに大きな揺れが発生することを防止でき、天井材４の大きな破損や脱落などが生じることを防止（抑止）でき、耐震性能を向上させることが可能になる。
【００５２】
また、既設の吊り天井に対し、水平材１５と野縁１を接続するように耐震補強用部材２１を設置することによって、既設の吊り天井の耐震性能を向上させることも可能になり、既設の吊り天井を比較的容易に耐震改修することが可能になる。
【００５３】
さらに、本実施形態の吊り天井Ｃにおいては、耐震補強用部材２１が反力吸収部２４を備えて形成されているため、水平材１５と野縁１に固着して耐震補強用部材２１を設置するように構成した場合であっても、補強ブレース１４から過大な鉛直方向の力（外力）が作用するとともに反力吸収部２４が弾塑性変形してこの力を吸収することができる。これにより、野縁１を変形させるような過大な力が耐震補強用部材２１を通じて天井材４に作用することがなく、天井材４や野縁１など、吊り天井Ｃに損傷が生じることを確実に防止できる。
【００５４】
次に、図４、及び図７、図９、図１０、図１１、図１３を参照し、本発明の第３実施形態に係る吊り天井構造について説明する。
【００５５】
本実施形態の吊り天井（吊り天井構造）Ｄは、第１、第２実施形態と同様、図４及び図７に示すように、野縁１と天井材４と野縁受け２と吊り部材（吊りボルト）３と補強ブレース１４と野縁接続用金具（クリップ）１０と吊り部材接続用金具（ハンガ）１２と耐震補強用部材２５とを備えて構成されている。
【００５６】
一方で、第１、第２実施形態のように水平材１５を備えず、補強ブレース１４は、一端１４ａを直接的に野縁受け２に固着し、他端を上部構造に直接的あるいは間接的に固着して設けられている。また、本実施形態では、一対の補強ブレース１４が、平面視で、野縁１と野縁受け２の交差部１１を間にして野縁受け２の延設方向に沿う一方向Ｔ１に並設され、且つ前記他方向Ｔ２の正面視で、Ｖ字状を呈するように並設されている。勿論、前述と同様、ハの字、ノの字などの配置、これらの組み合わせなどとして補強ブレース１４を設けるようにしてもよい。
【００５７】
一方、本実施形態の吊り天井Ｃにおいては、図４に示すように、耐震補強用部材２５を用いて、野縁受け２と天井材４を接続している。本実施形態の耐震補強用部材２５は、野縁受け２の側面に面接触して配設され、ビス留めするなどして野縁受け２に固着される平板部２６と、平板部２６の下端側に一体にして例えば断面方形状に形成されるとともに、野縁受け２と天井材４の上下方向Ｔ３の間に係合して配設され、ビス留めするなどして天井材４に固着される係合部２７とを備えて形成されている。
【００５８】
なお、本実施形態において、耐震補強用部材２５は、平板部２６と係合部２７を備えて形成されているものとしたが、例えば、図５に示すように野縁受け２と天井材４の上下方向Ｔ３の間に係合するように断面方形状に形成され、野縁受け２と天井材４の上下方向Ｔ３の間に係合させるとともに野縁受け２と天井材４にそれぞれビス留めするなどして固着するように構成してもよい。すなわち、本実施形態における耐震補強用部材２５は、野縁受け２と天井材４を接続することが可能であれば、特にその形状を限定する必要はない。
【００５９】
そして、上記のように耐震補強用部材２５を備えてなる本実施形態の吊り天井Ｄにおいては、地震時に、補強ブレース１４の反力が野縁受け２に伝達し、この野縁受け２の反力が耐震補強用部材２５を介して天井材４に伝達する。このように野縁受け２に補強ブレース１４から作用する反力が耐震補強用部材２５を通じて天井材４に伝達されることで、吊り天井Ｄの剛性が高まり、また、地震時に吊り天井Ｄに発生する慣性力の大半が直接野縁受け２に伝達され、野縁接続用金具１０、野縁１の延設方向（一方向Ｔ１）の変形、横揺れが大幅に低減することになる。
【００６０】
したがって、本実施形態の吊り天井Ｄにおいては、野縁受け２と天井材４を接続する耐震補強用部材２５を備えて構成されていることにより、地震時に、補強ブレース１４の反力を野縁受け２から耐震補強用部材２５を介して天井材４に伝達させることができ、吊り天井Ｄの剛性を高めることが可能になる。また、地震時に吊り天井Ｄに発生する慣性力の大半を直接野縁受け２に伝達させることができ、野縁接続用金具１０、野縁１の延設方向の変形、横揺れを大幅に低減することが可能になる。
【００６１】
これにより、図１３（ａ）、（ｂ）に示したように野縁接続用金具（クリップ）１０に回転・転倒の変形が生じたり、野縁１が野縁接続用金具１０に押されて変形することなどがなく、補強ブレース１４の効果によって確実に吊り天井Ｄの変形、横揺れを小さく抑えることが可能になる。
【００６２】
よって、本実施形態の吊り天井Ｄによれば、野縁受け２と天井材４を接続する耐震補強用部材２５を備えることで、従来と比較し、吊り天井Ｄに大きな揺れが発生することを防止でき、天井材４の大きな破損や脱落などが生じることを防止（抑止）でき、耐震性能を向上させることが可能になる。
【００６３】
また、既設の吊り天井に対し、野縁受け２と天井材４を接続するように耐震補強用部材２５を設置することによって、既設の吊り天井の耐震性能を向上させることも可能になる。
【００６４】
以上、本発明に係る吊り天井構造の第１、第２、第３実施形態について説明したが、本発明は上記の第１、第２、第３実施形態に限定されるものではなく、その趣旨を逸脱しない範囲で適宜変更可能である。
【００６５】
例えば、第２実施形態の耐震補強用部材２１が反力吸収部２４を備えているのに対し、第１及び第３実施形態の耐震補強用部材２０、２５は反力吸収部２４を備えていないものとして説明を行ったが、勿論、第１及び第３実施形態の耐震補強用部材２０、２５を、例えば図６に示すように反力吸収部２４を備えて形成し、過大な力（外力）が作用した際に反力吸収部２４が弾塑性変形して力を吸収できるようにしてもよい。そして、この場合においても、反力吸収部２４を備えることで、第２実施形態と同様、耐震補強用部材２０、２５を通じて過大な外力（補強ブレース１４からの反力）が天井材４や野縁１に伝達されることを防止でき、天井材４や野縁１など、吊り天井構造Ｂ、Ｄに破損が生じることを防止できる。
【符号の説明】
【００６６】
１      野縁
１ａ    側壁部
１ｂ    側壁部
１ｃ    底板部
２      野縁受け
２ａ    上板部
２ｂ    下板部
２ｃ    側壁部
３      吊り部材（吊りボルト）
４      天井材（天井パネル）
６      野縁の開口部
７      係合受部
８      ナット
１０    野縁接続用金具（クリップ）
１０ａ  係合片
１０ｂ  折り曲げ係止片
１１    交差部
１２    吊り部材接続用金具（ハンガ）
１２ａ  吊り部材接続部
１２ｂ  垂下部
１２ｃ  底部
１２ｄ  クランプ保持部
１３    吊り部材挿通孔
１４    補強ブレース
１４ａ  一端（下端）
１４ｂ  他端（上端）
１５    水平材
１６    受け金具
２０    耐震補強用部材
２１    耐震補強用部材
２２    上側平板部
２３    下側平板部
２４    反力吸収部
２５    耐震補強用部材
２６    平板部
２７    係合部
Ａ      従来の吊り天井構造（吊り天井）
Ｂ      吊り天井構造（吊り天井）
Ｃ      吊り天井構造（吊り天井）
Ｄ      吊り天井構造（吊り天井）
Ｔ１    一方向（横方向）
Ｔ２    他方向（横方向）
Ｔ３    上下方向
【図１】
0005958743.tif 000002
【図２】
0005958743.tif 000003
【図３】
0005958743.tif 000004
【図４】
0005958743.tif 000005
【図５】
0005958743.tif 000006
【図６】
0005958743.tif 000007
【図７】
0005958743.tif 000008
【図８】
0005958743.tif 000009
【図９】
0005958743.tif 000010
【図１０】
0005958743.tif 000011
【図１１】
0005958743.tif 000012
【図１２】
0005958743.tif 000013
【図１３】
0005958743.tif 000014